(57)【要約】【課題】デビットカードによりプリペイドカードの残高の増加と残金の払戻とを可能にするプリペイドカードシステム及び方法を提供する。【解決手段】プリペイドカードシステムは遊技店１００と通信ネットワーク２００とサーバコンピュータ３００とＣＡＦＩＳネットワーク４００と金融機関５００とから構成され、遊技店１００は、プリペイドカード発行・払戻機１０と遊技ユニット２０と店舗内ホストコンピュータ３０とを備える。．店舗内コンピュータ３０は発行希望者情報と残高増加希望者情報と残金払戻希望者情報とを通信ネットワーク２００を介してサーバコンピュータ３００に供給する。サーバコンピュータ３００は供給された発行希望者情報と残高増加希望者情報と残金払戻希望者情報とをＣＡＦＩＳネットワーク４００によって特定され、遊技客の口座４０と別段口座５０とプリペイドカード供給会社の口座６０とを備える金融機関５００に供給する。【選択図】  図１
2004259072.tif 000002
【特許請求の範囲】
【請求項１】
プリペイドカードを発行する複数の施設に設置され、プリペイドカードに記録されている有価価値情報と利用者の口座特定情報が記憶されている口座情報特定カードの該口座特定情報とを読み取るカード情報処理装置と、
前記カード情報処理装置と通信ネットワークを介して接続され、カード情報処理装置から供給される口座特定情報に基づいて前記カード情報処理装置に所定の指示信号を供給する指示装置と、を備えるプリペイドカードシステムであって、
前記カード情報処理装置は、
利用者により指定されたプリペイドカードの残高の増加希望金額を受信する増加希望金額受信手段と、
前記増加希望金額受信手段により受信した増加希望金額と前記口座特定情報とを通信ネットワークを介して前記指示装置に供給し、該指示装置にプリペイドカードの残高の増加が可能か否かを問合わせる第１の問合手段と、
を備え、
前記指示装置は、
前記第１の問合手段より供給された増加希望金額と口座特定情報とを所定の金融ネットワークを介して該口座特定情報により特定された金融機関に送信し、該金融機関に前記利用者の口座から増加希望金額相当の金銭を引き落とすことが可能か否かを問合わせる第２の問合手段と、
前記第２の問合手段により問合わせた金融機関の回答を受信し、受信した回答に対応した返答を前記カード情報処理装置に通知する返答通知手段と、
を備え、
前記カード情報処理装置は、
さらに、前記返答通知手段によりプリペイドカードの残高の増加が可能である旨の返答が通知された場合、プリペイドカードの有価価値情報を書き換え、プリペイドカードの残高を前記増加希望金額相当分だけ増加させるプリペイドカード残高増加手段を備える、
ことを特徴とするプリペイドカードシステム。
【請求項２】
前記施設は、利用者の操作に応じ遊技媒体を介在させた所定の遊技処理を実行する遊技機と、前記遊技機と隣接して設置され、該遊技機用の遊技媒体を貸し出す遊技媒体貸出機と、を備える遊技施設であって、
前記カード情報処理装置は、前記遊技媒体貸出機に組み込まれている、
ことを特徴とする請求項１に記載のプリペイドカードシステム。
【請求項３】
前記プリペイドカードシステムは、前記カード情報処理装置と前記指示装置とに接続された判別装置をさらに備え、
前記カード情報処理装置は、プリペイドカードに記憶された所定の情報を読み取り、該読み取った情報を前記判別装置に供給し、
前記判別装置は、供給された情報に基づいて、該プリペイドカードが使用可能か否かを判別し、判別結果を前記カード情報処理装置に通知する、
ことを特徴とする請求項１または請求項２に記載のプリペイドカードシステム。
【請求項４】
前記返答通知手段は、前記利用者の口座から増加希望金額相当の金銭を引き落とすことが可能である旨の回答を受信した場合、プリペイドカードの残高の増加が可能である旨の返答を前記カード情報処理装置に通知する、
ことを特徴とする請求項１乃至請求項３のいずれか１項に記載のプリペイドカードシステム。
【請求項５】
前記金融機関は、前記利用者の口座残高が前記増加希望金額よりも多い場合、該利用者の口座から増加希望金額相当の金銭を引き落とすことが可能である旨の回答を前記指示装置に送信し、前記利用者の口座から所定の口座に増加希望金額相当の金銭を振り替える、
ことを特徴とする請求項１乃至請求項４のいずれか１項に記載のプリペイドカードシステム。
【請求項６】
前記カード情報処理装置は、利用者が前記口座情報特定カードの暗証番号を入力する暗証番号入力手段を、該カード情報処理装置の前記第１の問合手段は、利用者により入力された暗証番号を前記指示装置に送信する第１の暗証番号送信手段を、備え、
前記指示装置の前記第２の問合手段は、前記第１の暗証番号送信手段により送信された暗証番号を受信し、受信した暗証番号を前記口座特定情報により特定された金融機関に送信する第２の暗証番号送信手段を備える、
ことを特徴とする請求項１乃至請求項５のいずれか１項に記載のプリペイドカードシステム。
【請求項７】
前記金融機関は、前記利用者が入力した暗証番号が正しく、さらに該利用者の口座残高が前記増加希望金額よりも多い場合、該利用者の口座から増加希望金額相当の金銭を引き落とすことが可能である旨の回答を前記指示装置に送信し、前記利用者の口座から所定の口座に増加希望金額相当の金銭を振り替える、
ことを特徴とする請求項６に記載のプリペイドカードシステム。
【請求項８】
プリペイドカードを発行する複数の施設に設置され、プリペイドカードに記録されている有価価値情報と利用者の口座特定情報が記憶されている口座情報特定カードの該口座特定情報とを読み取るカード情報処理装置と、
前記カード情報処理装置と通信ネットワークを介して接続され、カード情報処理装置から供給される有価価値情報と口座特定情報とに基づいて前記カード情報処理装置に所定の指示信号を供給する指示装置と、を備えるプリペイドカードシステムであって、
前記カード情報処理装置は、
前記有価価値情報と前記口座特定情報とを前記指示装置に通信ネットワークを介して供給し、該指示装置にプリペイドカードの残金の払戻を指示する払戻指示手段を備え、
前記指示装置は、
前記払戻指示手段より供給された有価価値情報と口座特定情報とを所定の金融ネットワークを介して該口座特定情報により特定された金融機関に供給し、該金融機関にプリペイドカードの残高に対応する金額を所定の口座から該利用者の口座に振り替えることを指示する口座振替指示手段と、
前記口座振替指示手段より有価価値情報と口座特定情報とが前記特定された金融機関に送信されたとき、前記カード情報処理装置に送信が完了した旨を通知する送信完了通知手段と、
を備え、
前記カード情報処理装置は、
さらに、前記送信完了通知手段により送信が完了した旨が通知されたとき、プリペイドカードの有価価値情報を書き換え、プリペイドカードの残高を０にすることにより、プリペイドカードの残金を払い戻すプリペイドカード残金払戻手段を備える、
ことを特徴とするプリペイドカードシステム。
【請求項９】
前記施設は、利用者の操作に応じ遊技媒体を介在させた所定の遊技処理を実行する遊技機と、前記遊技機と隣接して設置され、該遊技機用の遊技媒体を貸し出す遊技媒体貸出機と、を備える遊技施設であって、
前記カード情報処理装置は、前記遊技媒体貸出機に組み込まれている、
ことを特徴とする請求項８に記載のプリペイドカードシステム。
【請求項１０】
前記プリペイドカードシステムは、前記カード情報処理装置と前記指示装置とに接続された判別装置をさらに備え、
前記カード情報処理装置は、プリペイドカードに記憶された所定の情報を読み取り、該読み取った情報を前記判別装置に供給し、
前記判別装置は、供給された情報に基づいて、該プリペイドカードが使用可能か否かを判別し、判別結果を前記カード情報処理装置に通知する、
ことを特徴とする請求項８または請求項９に記載のプリペイドカードシステム。
【請求項１１】
前記カード情報処理装置は、利用者により入力された前記口座利用者特定カードの暗証番号を受信する暗証番号受信手段と、
前記暗証番号受信手段により受信した暗証番号を通信ネットワークを介して前記指示装置に供給し、該指示装置にプリペイドカードの残金の払戻が可能であるか否かを問合わせる第１の問合手段と、を備え、
前記指示装置は、前記第１の問合手段より供給された暗証番号を所定の金融ネットワークを介して前記口座特定情報により特定された金融機関に供給し、該金融機関にプリペイドカードの残高に対応する金額を前記所定の口座から前記利用者の口座に振り替えることが可能か否かを問合わせる第２の問合手段と、
前記第２の問合手段により問合わせた金融機関の回答を受信し、受信した回答に対応した返答を前記カード情報処理装置に通知する返答通知手段と、を備え、
前記カード情報処理装置の前記プリペイドカード残金払戻手段は、前記返答通知手段によりプリペイドカードの残金の払戻が可能である旨の返答が通知された場合、プリペイドカードの有価価値情報を書き換え、プリペイドカードの残高を０にすることにより、プリペイドカードの残金を払い戻す、
ことを特徴とする請求項８乃至請求項１０いずれか１項に記載のプリペイドカードシステム。
【請求項１２】
前記返答通知手段は、プリペイドカードの残高に対応する金額を所定の口座から該利用者の口座に振り替えることが可能である旨の回答を受信した場合、プリペイドカードの残金の払戻が可能である旨の返答を前記カード情報処理装置に通知する、
ことを特徴とする請求項８乃至請求項１１いずれか１項に記載のプリペイドカードシステム。
【請求項１３】
前記金融機関は、利用者により入力された暗証番号が正しい場合、プリペイドカードの残高に対応する金額を所定の口座から該利用者の口座に振り替えることことが可能である旨の回答を前記指示装置に送信する、
ことを特徴とする請求項１２に記載のプリペイドカードシステム。
【請求項１４】
遊技機と隣接して設置され、プリペイドカードに記録されている有価価値情報を読み取り、該読み取った有価価値情報に応じて、該遊技機用の遊技媒体を貸し出す遊技媒体貸出機であって、
利用者の口座特定情報が記憶されている口座情報特定カードの該口座特定情報を読み取る口座特定情報読取手段と、
利用者により指定されたプリペイドカードの残高の増加希望金額を受信する増加希望金額受信手段と、
前記口座特定情報読取手段により読み取られた口座特定情報と前記増加希望金額受信手段により受信した増加希望金額とを所定の金融ネットワークを介して該口座特定情報により特定された金融機関に送信し、該金融機関に前記利用者の口座から増加希望金額相当の金銭を引き落とすことが可能か否かを問合わせる問合手段と、
前記問合手段により問合わせた金融機関の回答を受信する受信手段と、
前記金融機関から増加希望金額相当の金銭の引落が可能である旨の回答を受信した場合、プリペイドカードの有価価値情報を書き換え、プリペイドカードの残高を前記増加希望金額相当分だけ増加させるプリペイドカード残高増加手段と、
を備える、ことを特徴とする遊技媒体貸出機。
【請求項１５】
遊技機と隣接して設置され、プリペイドカードに記録されている有価価値情報を読み取り、該読み取った有価価値情報に応じて、該遊技機用の遊技媒体を貸し出す遊技媒体貸出機であって、
利用者の口座特定情報が記憶されている口座情報特定カードの該口座特定情報を読み取る口座特定情報読取手段と、
前記有価価値情報と前記口座特定情報読取手段により読み取った口座特定情報とを所定の金融ネットワークを介して該口座特定情報により特定された金融機関に送信し、該金融機関にプリペイドカードの残高に対応する金額を所定の口座から該利用者の口座に振り替えることを指示する口座取引指示手段と、
前記口座取引指示手段より有価価値情報と口座特定情報とが前記特定された金融機関に送信されたとき、プリペイドカードの有価価値情報を書き換え、プリペイドカードの残高を０にすることにより、プリペイドカードの残金を払い戻すプリペイドカード残金払戻手段と、
を備える、ことを特徴とする遊技媒体貸出機。
【請求項１６】
プリペイドカードを発行する複数の施設に設置され、プリペイドカードに記録されている有価価値情報と利用者の口座特定情報が記憶されている口座情報特定カードの該口座特定情報とを読み取るカード情報処理装置と、前記カード情報処理装置と通信ネットワークを介して接続され、カード情報処理装置から供給される口座特定情報に基づいて前記カード情報処理装置に所定の指示信号を供給する指示装置と、を備えるプリペイドカードシステムのプリペイドカード残高増加方法であって、
利用者により指定されたプリペイドカードの残高の増加希望金額を受信する増加希望金額受信工程と、
前記増加希望金額受信工程により受信した増加希望金額と前記口座特定情報とを通信ネットワークを介して前記指示装置に供給し、該指示装置にプリペイドカードの残高の増加が可能か否かを問合わせる第１の問合工程と、
前記第１の問合工程より供給された増加希望金額と口座特定情報とを所定の金融ネットワークを介して該口座特定情報により特定された金融機関に送信し、該金融機関に前記利用者の口座から増加希望金額相当の金銭を引き落とすことが可能か否かを問合わせる第２の問合工程と、
前記第２の問合工程により問合わせた金融機関の回答を受信し、受信した回答に対応した返答を前記カード情報処理装置に通知する返答通知工程と、
前記返答通知工程によりプリペイドカードの残高の増加が可能である旨の返答が通知された場合、プリペイドカードの有価価値情報を書き換え、プリペイドカードの残高を前記増加希望金額相当分だけ増加させるプリペイドカード残高増加工程と、
を備える、ことを特徴とするプリペイドカード残高増加方法。
【請求項１７】
プリペイドカードを発行する複数の施設に設置され、プリペイドカードに記録されている有価価値情報と利用者の口座特定情報が記憶されている口座情報特定カードの該口座特定情報とを読み取るカード情報処理装置と、前記カード情報処理装置と通信ネットワークを介して接続され、カード情報処理装置から供給される有価価値情報と口座特定情報とに基づいて前記カード情報処理装置に所定の指示信号を供給する指示装置と、を備えるプリペイドカードシステムのプリペイドカード残金払戻方法であって、
前記有価価値情報と前記口座特定情報とを前記指示装置に通信ネットワークを介して供給し、該指示装置にプリペイドカードの残金の払戻を指示する払戻指示工程と、
前記払戻指示工程より供給された有価価値情報と口座特定情報とを所定の金融ネットワークを介して該口座特定情報により特定された金融機関に供給し、該金融機関にプリペイドカードの残高に対応する金額を所定の口座から該利用者の口座に振り替えることを指示する口座振替指示工程と、
前記口座振替指示工程より有価価値情報と口座特定情報とが前記特定された金融機関に送信されたとき、前記カード情報処理装置に送信が完了した旨を通知する送信完了通知工程と、
前記送信完了通知工程により送信が完了した旨が通知されたとき、プリペイドカードの有価価値情報を書き換え、プリペイドカードの残高を０にすることにより、プリペイドカードの残金を払い戻すプリペイドカード残金払戻工程と、
を備える、ことを特徴とするプリペイドカード残金払戻方法。
【発明の詳細な説明】
【０００１】
【発明の属する技術分野】
本発明は、プリペイドカードシステム、カード情報処理装置、プリペイドカード残高増加方法及びプリペイドカード残金払戻方法に関する。
【０００２】
【従来の技術】
パチンコ店等の遊技店において、遊技客は、プリペイドカード発行機でプリペイドカードを購入し、プリぺードカードにより遊技媒体を借り入れる。遊技客は、この遊技媒体を用いて、パチンコ台等の遊技機で遊技をプレイする。
【０００３】
遊技客は、プリペイドカードの残金がなくなると遊技媒体を借り入れることができなくなり、遊技を中断せざるを得ない。遊技を再開するため、遊技客は、プリペイドカード発行機まで行き、プリペイドカードを購入しなければならず、面倒である。
【０００４】
また、近年、売上の管理の容易化、店内のセキュリティの向上等を図るため、遊技客がキャッシュレスでプリペイドカードを購入できるシステムが公表されている。このようなシステムの１つとして、遊技客がデビットカードを用いてプリペイドカードを購入できる遊技システムがある（例えば、特許文献１参照）。
【０００５】
しかしながら、遊技客からプリペイドカードの残金の払戻は、遊技店がプリペイドカードの残金に対応する現金を遊技者に手渡すことにより行っている。このため、遊技店は、予め現金を用意する必要がある。
【０００６】
【特許文献１】
特開２００２−０００８８８号公報（第４−７頁、第１，５−７図）。
【０００７】
【発明が解決しようとする課題】
本発明は、上記の欠点を解決するためになされたものであって、遊技客が遊技機から離れることなく、プリペイドカードの残高を増加させ、遊技媒体を借り入れることができるプリペイドカードシステム、遊技媒体貸出機及びプリペイドカード残高増加方法を提供することを目的とする。
【０００８】
また、本発明は、上記の欠点を解決するためになされたものであって、デビットカードによるプリペイドカードの払戻を可能とするプリペイドカードシステム、遊技媒体貸出機及びプリペイドカード残金払戻方法を提供することを目的とする。
【０００９】
【課題を解決するための手段】
上記目的を達成するために、本発明の第１の観点に係るプリペイドカードシステムは、
プリペイドカードを発行する複数の施設に設置され、プリペイドカードに記録されている有価価値情報と利用者の口座特定情報が記憶されている口座情報特定カードの該口座特定情報とを読み取るカード情報処理装置と、
前記カード情報処理装置と通信ネットワークを介して接続され、カード情報処理装置から供給される口座特定情報に基づいて前記カード情報処理装置に所定の指示信号を供給する指示装置と、を備えるプリペイドカードシステムであって、
前記カード情報処理装置は、
利用者により指定されたプリペイドカードの残高の増加希望金額を受信する増加希望金額受信手段と、
前記増加希望金額受信手段により受信した増加希望金額と前記口座特定情報とを通信ネットワークを介して前記指示装置に供給し、該指示装置にプリペイドカードの残高の増加が可能か否かを問合わせる第１の問合手段と、
を備え、
前記指示装置は、
前記第１の問合手段より供給された増加希望金額と口座特定情報とを所定の金融ネットワークを介して該口座特定情報により特定された金融機関に送信し、該金融機関に前記利用者の口座から増加希望金額相当の金銭を引き落とすことが可能か否かを問合わせる第２の問合手段と、
前記第２の問合手段により問合わせた金融機関の回答を受信し、受信した回答に対応した返答を前記カード情報処理装置に通知する返答通知手段と、
を備え、
前記カード情報処理装置は、
さらに、前記返答通知手段によりプリペイドカードの残高の増加が可能である旨の返答が通知された場合、プリペイドカードの有価価値情報を書き換え、プリペイドカードの残高を前記増加希望金額相当分だけ増加させるプリペイドカード残高増加手段を備える、
ことを特徴とする。
【００１０】
また、上記構成において、前記施設は、利用者の操作に応じ遊技媒体を介在させた所定の遊技処理を実行する遊技機と、前記遊技機と隣接して設置され、該遊技機用の遊技媒体を貸し出す遊技媒体貸出機と、を備える遊技施設であって、
前記カード情報処理装置は、前記遊技媒体貸出機に組み込まれていてもよい。
【００１１】
さらに、上記構成において、前記プリペイドカードシステムは、前記カード情報処理装置と前記指示装置とに接続された判別装置をさらに備え、
前記カード情報処理装置は、プリペイドカードに記憶された所定の情報を読み取り、該読み取った情報を前記判別装置に供給し、
前記判別装置は、供給された情報に基づいて、該プリペイドカードが使用可能か否かを判別し、判別結果を前記カード情報処理装置に通知してもよい。
【００１２】
また、上記構成において、前記返答通知手段は、前記利用者の口座から増加希望金額相当の金銭を引き落とすことが可能である旨の回答を受信した場合、プリペイドカードの残高の増加が可能である旨の返答を前記カード情報処理装置に通知してもよい。
【００１３】
さらに、上記構成において、前記金融機関は、前記利用者の口座残高が前記増加希望金額よりも多い場合、該利用者の口座から増加希望金額相当の金銭を引き落とすことが可能である旨の回答を前記指示装置に送信し、前記利用者の口座から所定の口座に増加希望金額相当の金銭を振り替えてもよい。
【００１４】
また、上記構成において、前記カード情報処理装置は、利用者が前記口座情報特定カードの暗証番号を入力する暗証番号入力手段を、該カード情報処理装置の前記第１の問合手段は、利用者により入力された暗証番号を前記指示装置に送信する第１の暗証番号送信手段を、備え、
前記指示装置の前記第２の問合手段は、前記第１の暗証番号送信手段により送信された暗証番号を受信し、受信した暗証番号を前記口座特定情報により特定された金融機関に送信する第２の暗証番号送信手段を備えてもよい。
【００１５】
さらに、上記構成において、前記金融機関は、前記利用者が入力した暗証番号が正しく、さらに該利用者の口座残高が前記増加希望金額よりも多い場合、該利用者の口座から増加希望金額相当の金銭を引き落とすことが可能である旨の回答を前記指示装置に送信し、前記利用者の口座から所定の口座に増加希望金額相当の金銭を振り替えてもよい。
【００１６】
上記目的を達成するために、本発明の第２の観点に係るプリペイドカードシステムは、
プリペイドカードを発行する複数の施設に設置され、プリペイドカードに記録されている有価価値情報と利用者の口座特定情報が記憶されている口座情報特定カードの該口座特定情報とを読み取るカード情報処理装置と、
前記カード情報処理装置と通信ネットワークを介して接続され、カード情報処理装置から供給される有価価値情報と口座特定情報とに基づいて前記カード情報処理装置に所定の指示信号を供給する指示装置と、を備えるプリペイドカードシステムであって、
前記カード情報処理装置は、
前記有価価値情報と前記口座特定情報とを前記指示装置に通信ネットワークを介して供給し、該指示装置にプリペイドカードの残金の払戻を指示する払戻指示手段を備え、
前記指示装置は、
前記払戻指示手段より供給された有価価値情報と口座特定情報とを所定の金融ネットワークを介して該口座特定情報により特定された金融機関に供給し、該金融機関にプリペイドカードの残高に対応する金額を所定の口座から該利用者の口座に振り替えることを指示する口座振替指示手段と、
前記口座振替指示手段より有価価値情報と口座特定情報とが前記特定された金融機関に送信されたとき、前記カード情報処理装置に送信が完了した旨を通知する送信完了通知手段と、
を備え、
前記カード情報処理装置は、
さらに、前記送信完了通知手段により送信が完了した旨が通知されたとき、プリペイドカードの有価価値情報を書き換え、プリペイドカードの残高を０にすることにより、プリペイドカードの残金を払い戻すプリペイドカード残金払戻手段を備える、
ことを特徴とする。
【００１７】
また、上記構成において、前記施設は、利用者の操作に応じ遊技媒体を介在させた所定の遊技処理を実行する遊技機と、前記遊技機と隣接して設置され、該遊技機用の遊技媒体を貸し出す遊技媒体貸出機と、を備える遊技施設であって、
前記カード情報処理装置は、前記遊技媒体貸出機に組み込まれてもよい。
【００１８】
さらに、上記構成において、前記プリペイドカードシステムは、前記カード情報処理装置と前記指示装置とに接続された判別装置をさらに備え、
前記カード情報処理装置は、プリペイドカードに記憶された所定の情報を読み取り、該読み取った情報を前記判別装置に供給し、
前記判別装置は、供給された情報に基づいて、該プリペイドカードが使用可能か否かを判別し、判別結果を前記カード情報処理装置に通知してもよい。
【００１９】
また、上記構成において、前記カード情報処理装置は、利用者により入力された前記口座利用者特定カードの暗証番号を受信する暗証番号受信手段と、
前記暗証番号受信手段により受信した暗証番号を通信ネットワークを介して前記指示装置に供給し、該指示装置にプリペイドカードの残金の払戻が可能であるか否かを問合わせる第１の問合手段と、を備え、
前記指示装置は、前記第１の問合手段より供給された暗証番号を所定の金融ネットワークを介して前記口座特定情報により特定された金融機関に供給し、該金融機関にプリペイドカードの残高に対応する金額を前記所定の口座から前記利用者の口座に振り替えることが可能か否かを問合わせる第２の問合手段と、
前記第２の問合手段により問合わせた金融機関の回答を受信し、受信した回答に対応した返答を前記カード情報処理装置に通知する返答通知手段と、を備え、
前記カード情報処理装置の前記プリペイドカード残金払戻手段は、前記返答通知手段によりプリペイドカードの残金の払戻が可能である旨の返答が通知された場合、プリペイドカードの有価価値情報を書き換え、プリペイドカードの残高を０にすることにより、プリペイドカードの残金を払い戻してもよい。
【００２０】
さらに、上記構成において、前記返答通知手段は、プリペイドカードの残高に対応する金額を所定の口座から該利用者の口座に振り替えることが可能である旨の回答を受信した場合、プリペイドカードの残金の払戻が可能である旨の返答を前記カード情報処理装置に通知してもよい。
【００２１】
また、上記構成において、前記金融機関は、利用者により入力された暗証番号が正しい場合、プリペイドカードの残高に対応する金額を所定の口座から該利用者の口座に振り替えることことが可能である旨の回答を前記指示装置に送信してもよい。
【００２２】
上記目的を達成するために、本発明の第３の観点に係る遊技媒体貸出機は、
遊技機と隣接して設置され、プリペイドカードに記録されている有価価値情報を読み取り、該読み取った有価価値情報に応じて、該遊技機用の遊技媒体を貸し出す遊技媒体貸出機であって、
利用者の口座特定情報が記憶されている口座情報特定カードの該口座特定情報を読み取る口座特定情報読取手段と、
利用者により指定されたプリペイドカードの残高の増加希望金額を受信する増加希望金額受信手段と、
前記口座特定情報読取手段により読み取られた口座特定情報と前記増加希望金額受信手段により受信した増加希望金額とを所定の金融ネットワークを介して該口座特定情報により特定された金融機関に送信し、該金融機関に前記利用者の口座から増加希望金額相当の金銭を引き落とすことが可能か否かを問合わせる問合手段と、
前記問合手段により問合わせた金融機関の回答を受信する受信手段と、
前記金融機関から増加希望金額相当の金銭の引落が可能である旨の回答を受信した場合、プリペイドカードの有価価値情報を書き換え、プリペイドカードの残高を前記増加希望金額相当分だけ増加させるプリペイドカード残高増加手段と、
を備える、ことを特徴とする。
【００２３】
上記目的を達成するために、本発明の第４の観点に係る遊技媒体貸出機は、
遊技機と隣接して設置され、プリペイドカードに記録されている有価価値情報を読み取り、該読み取った有価価値情報に応じて、該遊技機用の遊技媒体を貸し出す遊技媒体貸出機であって、
利用者の口座特定情報が記憶されている口座情報特定カードの該口座特定情報を読み取る口座特定情報読取手段と、
前記有価価値情報と前記口座特定情報読取手段により読み取った口座特定情報とを所定の金融ネットワークを介して該口座特定情報により特定された金融機関に送信し、該金融機関にプリペイドカードの残高に対応する金額を所定の口座から該利用者の口座に振り替えることを指示する口座取引指示手段と、
前記口座取引指示手段より有価価値情報と口座特定情報とが前記特定された金融機関に送信されたとき、プリペイドカードの有価価値情報を書き換え、プリペイドカードの残高を０にすることにより、プリペイドカードの残金を払い戻すプリペイドカード残金払戻手段と、
を備える、ことを特徴とする。
【００２４】
上記目的を達成するために、本発明の第５の観点に係るプリペイドカード残高増加方法は、
プリペイドカードを発行する複数の施設に設置され、プリペイドカードに記録されている有価価値情報と利用者の口座特定情報が記憶されている口座情報特定カードの該口座特定情報とを読み取るカード情報処理装置と、前記カード情報処理装置と通信ネットワークを介して接続され、カード情報処理装置から供給される口座特定情報に基づいて前記カード情報処理装置に所定の指示信号を供給する指示装置と、を備えるプリペイドカードシステムのプリペイドカード残高増加方法であって、
利用者により指定されたプリペイドカードの残高の増加希望金額を受信する増加希望金額受信工程と、
前記増加希望金額受信工程により受信した増加希望金額と前記口座特定情報とを通信ネットワークを介して前記指示装置に供給し、該指示装置にプリペイドカードの残高の増加が可能か否かを問合わせる第１の問合工程と、
前記第１の問合工程より供給された増加希望金額と口座特定情報とを所定の金融ネットワークを介して該口座特定情報により特定された金融機関に送信し、該金融機関に前記利用者の口座から増加希望金額相当の金銭を引き落とすことが可能か否かを問合わせる第２の問合工程と、
前記第２の問合工程により問合わせた金融機関の回答を受信し、受信した回答に対応した返答を前記カード情報処理装置に通知する返答通知工程と、
前記返答通知工程によりプリペイドカードの残高の増加が可能である旨の返答が通知された場合、プリペイドカードの有価価値情報を書き換え、プリペイドカードの残高を前記増加希望金額相当分だけ増加させるプリペイドカード残高増加工程と、
を備える、ことを特徴とする。
【００２５】
上記目的を達成するために、本発明の第６の観点に係るプリペイドカード残金払戻方法は、
プリペイドカードを発行する複数の施設に設置され、プリペイドカードに記録されている有価価値情報と利用者の口座特定情報が記憶されている口座情報特定カードの該口座特定情報とを読み取るカード情報処理装置と、前記カード情報処理装置と通信ネットワークを介して接続され、カード情報処理装置から供給される有価価値情報と口座特定情報とに基づいて前記カード情報処理装置に所定の指示信号を供給する指示装置と、を備えるプリペイドカードシステムのプリペイドカード残金払戻方法であって、
前記有価価値情報と前記口座特定情報とを前記指示装置に通信ネットワークを介して供給し、該指示装置にプリペイドカードの残金の払戻を指示する払戻指示工程と、
前記払戻指示工程より供給された有価価値情報と口座特定情報とを所定の金融ネットワークを介して該口座特定情報により特定された金融機関に供給し、該金融機関にプリペイドカードの残高に対応する金額を所定の口座から該利用者の口座に振り替えることを指示する口座振替指示工程と、
前記口座振替指示工程より有価価値情報と口座特定情報とが前記特定された金融機関に送信されたとき、前記カード情報処理装置に送信が完了した旨を通知する送信完了通知工程と、
前記送信完了通知工程により送信が完了した旨が通知されたとき、プリペイドカードの有価価値情報を書き換え、プリペイドカードの残高を０にすることにより、プリペイドカードの残金を払い戻すプリペイドカード残金払戻工程と、
を備える、ことを特徴とする。
【００２６】
【発明の実施の形態】
本発明の実施の形態に係るプリペイドカードシステムについて、以下図面を参照して説明する。なお、本実施の形態において、「〜金額相当の金銭」という語は、この金額と完全に一致している金銭に限定されず、この金額から所定の手数料や税金等を差し引かれた金額の金銭をも含むものとする。
【００２７】
（プリペイドカードシステムの構成）
プリペイドカードシステムは、図１に示すように、遊技店１００１、１００２、…、１００ｍ（ｍ：整数）と、通信ネットワーク２００と、サーバコンピュータ３００と、ＣＡＦＩＳ（Ｃｒｅｄｉｔ  ａｎｄ  Ｆｉｎａｎｃｅ  Ｉｎｆｏｒｍａｔｉｏｎ  Ｓｙｓｔｅｍ）ネットワーク４００と、金融機関５００１、５００２、…、５００ｎ（ｎ：整数）と、から構成されている。
【００２８】
遊技店１００は、例えばパチンコ店であり、通信ネットワーク２００を介して、サーバコンピュータ３００と接続されている。遊技店１００は、夫々、プリペイドカード発行・払戻機１０と、遊技ユニット２０１、２０２、…、２０ｉ（ｉ：整数）と、店舗内ホストコンピュータ３０と、を備える。
【００２９】
プリペイドカード発行・払戻機１０の構成を図２及び図３を参照して説明する。図２は、プリペイドカード発行・払戻機１０の外観を示す図であり、図３は、プリペイドカード発行・払戻機１０の構成を示すブロック図である。
【００３０】
まず、図２に示すように、プリペイドカード発行・払戻機１０は、その前面に、デビットカード挿入・排出部１１ａと、表示部１２と、暗証番号入力部１３と、金額指定部１４と、プリペイドカード挿入・排出部１５ａと、を備える。プリペイドカード発行・払戻機１０は、ＬＡＮ（Ｌｏｃａｌ  Ａｒｅａ  Ｎｅｔｗｏｒｋ）を介して店舗内ホストコンピュータ３０と接続されている。
【００３１】
デビットカード挿入・排出部１１ａは、デビットカードを用いてプリペイドカードを購入する場合等に、遊技客がデビットカードを挿入するのに用いられる。デビットカード挿入・排出部１１ａは、所定の処理が終了した後、挿入されたデビットカードを排出し、遊技客に返却する。
【００３２】
表示部１２は、例えば、液晶表示装置やＬＥＤ（Ｌｉｇｈｔ  Ｅｍｉｔｔｉｎｇ  Ｄｉｏｄｅ）表示装置等から構成され、後述する制御部１６によってその表示を制御されている。表示部１２は、デビットカードが挿入されると、遊技客に暗証番号の入力を指示する旨を表示し、プリペイドカードが挿入されると、その残高を表示する。
【００３３】
暗証番号入力部１３は、例えば、テンキー等から構成されており、遊技客がデビットカードの暗所番号等を入力するのに用いられる。暗証番号入力部１３は、遊技客が入力した暗証番号等を制御部１６に供給する。
【００３４】
金額指定部１４は、１，０００円、２，０００円、３，０００円等の金額を示したタッチパネル、押しボタン等から構成され、遊技客が購入したいプリペイドカードの金額（以下、購入希望金額という。）を指定するのに用いられる。金額指定部１４は、遊技客が指定した購入希望金額を制御部１６に供給する。
【００３５】
プリペイドカード挿入・排出部１５ａは、遊技ユニット２０において用いられる遊技媒体の貸出を可能にするプリペイドカードを発行する。プリペイドカード挿入・排出部１５ａは、プリペイドカードの残金を払い戻す場合等に、遊技客がプリペイドカードを挿入するのに用いられる。プリペイドカード挿入・排出部１５ａは、所定の処理が終了した後、挿入されたプリペイドカードを排出し、遊技客に返却する。
【００３６】
次に、図３に示すように、プリペイドカード発行・払戻機１０は、図２に示した構成の他に、デビットカード処理部１１ｂと、プリペイドカード処理部１５ｂと、制御部１６と、通信部１７と、を備える。
【００３７】
デビットカード処理部１１ｂは、遊技客がプリペイドカード挿入・排出部１１ａに挿入したデビットカードに記憶された銀行名（を特定する情報）、支店名（を特定する情報）、口座番号、口座名義等の情報を読み取り、読み取った情報を制御部１６に供給する。
【００３８】
プリペイドカード処理部１５ｂは、制御部１６の指示に応じた金額のプリペイドカードを発行する。また、プリペイドカード処理部１５ｂは、挿入されたプリペイドカードに記憶されたプリペイドカードの残高等、所定の情報（以下、プリペイドカード情報という。）を読み取り、読み取ったプリペイドカード情報を制御部１６に供給する。プリペイドカード処理部１５ｂは、制御部１６の指示に基づき、プリペイドカードの残高を書き換える。
【００３９】
制御部１６は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ
Ｍｅｍｏｒｙ）、ＲＯＭ（Ｒｅａｄ  Ｏｎｌｙ  Ｍｅｍｏｒｙ）等から構成されている。
【００４０】
制御部１６は、金額指定部１４で購入希望金額が指定されると、遊技客にデビットカードの挿入を表示部１２において指示する。制御部１６は、デビットカード挿入・排出部１５ａにデビットカードが挿入されると、遊技客に暗証番号の入力を表示部１２において指示する。制御部１６は、遊技客が暗証番号入力部１３において暗証番号を入力すると、図４Ａに示す購入希望者情報を通信部１７に供給する。
【００４１】
この購入希望者情報は、購入希望者情報であることを識別可能にする識別ヘッダと、デビットカード処理部１１ｂから供給されたデビットカードの銀行名、支店名、口座番号、口座名義等と、暗証番号入力部１３から供給された暗証番号と、金銭指定部１４から供給された購入希望金額と、からなる。
【００４２】
制御部１６は、プリペイドカードの発行が可能である場合、プリペイドカードの発行をプリペイドカード処理部１５ｂに指示する。
【００４３】
また、制御部１６は、プリペイドカード処理部１５ｂにプリペイドカードが挿入されると、挿入されたプリペイドカードが使用可能か否かを店舗内ホストコンピュータ３０に問い合わせるべく、プリペイドカード処理部１５ｂから供給されるプリペイドカード情報を通信部１７を介して店舗内ホストコンピュータ３０に供給する。
【００４４】
制御部１６は、プリペイドカードの使用が可能である場合、プリペイドカードの残高等を表示部１２に表示する。
【００４５】
さらに、制御部１６は、プリペイドカード挿入・排出部１５ａにプリペイドカードが使用可能であると判別すると、遊技客にデビットカードの挿入を表示部１２において指示する。制御部１６は、デビットカード挿入・排出部１１ａにデビットカードが挿入されると、遊技客に暗証番号の入力を表示部１２において指示する。制御部１６は、遊技客が暗証番号入力部１３において暗証番号を入力すると、図４Ｂに示す残金払戻希望者情報を通信部１８に供給する。
【００４６】
この残金払戻希望者情報は、残金払戻希望者情報であることを識別可能にする識別ヘッダと、デビットカード処理部１１ｂから供給されたデビットカードの銀行名、支店名、口座番号、口座名義等と、暗証番号入力部１３から供給された暗証番号と、プリペイドカード処理部１５ｂからから供給されたプリペイドカードの残高と、からなる。
【００４７】
制御部１６は、プリペイドカードの残金の払戻が可能である場合、プリペイドカードの残高の書換をプリペイドカード処理部１５ｂに指示する。
【００４８】
通信部１７は、制御部１６と接続されるとともに、ＬＡＮ等を介して店舗内ホストコンピュータ３０と接続されて、制御部１６から供給される購入希望者情報や残金払戻希望者情報等を店舗内ホストコンピュータ３０に供給する。
【００４９】
図１に示す遊技ユニット２０は、遊技機２１と、遊技機２１と隣接する遊技機２１との間に設けられた遊技媒体貸出機２２と、により構成されている。また、遊技ユニット２０は、ＬＡＮを介して店舗内ホストコンピュータ３０と接続されている。
【００５０】
遊技機２１は、例えばパチンコ台、パチスロ等であって、右側に隣接する遊技媒体貸出機２２に対応付けられている。遊技機２１には、この対応付けられた遊技媒体貸出機２２から、例えばパチンコ玉、メダル等の遊技媒体が供給される。遊技客は、遊技機２１において、遊技媒体を用いてパチンコ、パチスロ等の遊技をプレイすることができる。
【００５１】
遊技媒体貸出機２２の構成を図５及び図６を参照して説明する。図５は、遊技媒体貸出機２２の外観を示す図であり、図６は、遊技媒体貸出機２２の構成を示すブロック図である。
【００５２】
まず、図５に示すように、遊技媒体貸出機２２は、その前面に、プリペイドカード挿入・排出部２２１ａと、表示部２２２と、貸出ボタン２２３と、デビットカード挿入・排出部２２４ａと、暗証番号入力部２２５と、残高増加指示部２２６と、増加金額指定部２２７と、を備え、左側に隣接する遊技機２１に遊技媒体を供給する。
【００５３】
プリペイドカード挿入・排出部２２１ａは、遊技媒体を借り入れる場合に、遊技客がプリペイドカードを挿入するのに用いられる。また、プリペイドカード挿入・排出部２２１ａは、遊技客の指示に基づき、挿入されたプリペイドカードを排出し、遊技客に返却する。
【００５４】
表示部２２２は、例えば、液晶表示装置やＬＥＤ（Ｌｉｇｈｔ−Ｅｍｉｔｔｉｎｇ  Ｄｉｏｄｅ）表示装置等から構成され、後述する制御部２２９によってその表示を制御されている。表示部２２２は、プリペイドカードが挿入されると、その残高を表示し、デビットカードが挿入されると、遊技客に暗証番号等の入力を指示する旨を表示する。
【００５５】
貸出ボタン２２３は、例えば、押しボタン等から構成されている。遊技客は、この貸出ボタン２２３を押すことにより遊技媒体を借り入れることができる。
【００５６】
デビットカード挿入・排出部２２４ａは、プリペイドカードの残高を増加させる場合等に、遊技客がデビットカードを挿入するのに用いられる。デビットカード挿入・排出部２２４ａは、所定の処理が終了した後、挿入されたデビットカードを排出し、遊技客に返却する。
【００５７】
暗証番号入力部２２５は、例えば、テンキー等から構成されており、遊技客がデビットカードの暗所番号等を入力するのに用いられる。暗証番号入力部２２６は、遊技客が入力した暗証番号等を制御部２２９に供給する。
【００５８】
残高増加指示部２２６は、タッチパネル、押しボタン等から構成されている。遊技客は、この残高増加指示部２２６においてプリペイドカードの残高の増加を指示することができる。
【００５９】
増加金額指定部２２７は、例えば、テンキー等から構成され、遊技客が増加させたいプリペイドカードの残高の金額（以下、増加希望金額という。）を指定するのに用いられる。増加金額指定部２２７は、遊技客が指定した増加希望金額を制御部２２９に供給する。
【００６０】
次に、図６に示すように、遊技媒体貸出機２２は、図５に示した構成の他に、プリペイドカード処理部２２１ｂと、デビットカード処理部２２４ｂと、遊技媒体供給部２２８と、制御部２２９と、通信部２３０と、を備える。
【００６１】
プリペイドカード処理部２２１ｂは、挿入されたプリペイドカードに記憶されたプリペイドカード情報を読み取り、読み取ったプリペイドカード情報を制御部２２９に供給する。プリペイドカード処理部２２１ｂは、制御部２２９の指示に基づき、プリペイドカードの残高を書き換える。
【００６２】
デビットカード処理部２２４ｂは、遊技客がデビットカード挿入・排出部２２４ａに挿入したデビットカードに記憶された銀行名、支店名、口座番号、口座名義等の情報を読み取り、読み取った情報を制御部２２９に供給する。
【００６３】
遊技媒体供給部２２８は、遊技客により貸出ボタン２２３が押させると所定金額相当の遊技媒体を遊技機２１に供給する。
【００６４】
制御部２２９は、ＣＰＵ、ＲＡＭ、ＲＯＭ等から構成され、プリペイドカードの残高を表示部２２２に表示し、遊技客によって貸出ボタン２２３が押されると、遊技媒体供給部２２４に遊技媒体の貸出を指示する。
【００６５】
制御部２２９は、プリペイドカード挿入・排出部２２１ａにプリペイドカードが挿入されると、挿入されたプリペイドカードが使用可能か否かを店舗内ホストコンピュータ２０に問い合わせるべく、プリペイドカード処理部２２１ｂから供給されるプリペイドカード情報を通信部２３０を介して店舗内ホストコンピュータ３０に供給する。
【００６６】
制御部２２９は、プリペイドカードの使用が可能である場合、プリペイドカードの残高等を表示部２２２に表示する。
【００６７】
制御部２２９は、遊技客が残高増加指示部２２６においてプリペイドカードの残高の増加を指示した場合、表示部２２２において暗証番号と増加希望金額との入力を指示する。制御部２２９は、遊技客が暗証番号入力部２２５において暗証番号を入力し、増加金額指定部２２８において増加希望金額を指定した場合、図４Ｃに示す残高増加希望者情報を通信部２３０に供給する。
【００６８】
この残高増加希望者情報は、残高増加希望者情報であることを識別可能にする識別ヘッダと、デビットカード処理部２２４ｂから供給されたデビットカードの銀行名、支店名、口座番号、口座名義等と、暗証番号入力部２２５から供給された暗証番号と、増加金額指定部２２７から供給された残高増加希望金額と、からなる。
【００６９】
制御部２２９は、プリペイドカードの残高の増加が可能である場合、プリペイドカードの残高の書換をプリペイドカード処理部２２１ｂに指示する。
【００７０】
通信部２３０は、制御部２２９と接続されるとともに、ＬＡＮ等を介して店舗内ホストコンピュータ３０と接続され、制御部２２９から供給された残高増加希望者情報を店舗内ホストコンピュータ３０に供給する。
【００７１】
図１に示す店舗内ホストコンピュータ３０は、ＣＰＵ、ＲＡＭ、ＲＯＭ等から構成され、ＬＡＮを介してプリペイドカード発行・払戻機１０と遊技ユニット２０とに接続され、通信ネットワーク２００を介してサーバコンピュータ３００と接続されている。
【００７２】
店舗内ホストコンピュータ３０は、制御部１６や制御部２２９からプリペイドカード情報が供給されると、供給されたプリペイドカード情報に基づいて、プリペイドカードが変造・偽造されたものであるか否か等、プリペイドカードの使用の可否を判別し、判別した結果を制御部１６に通知する。
【００７３】
店舗内ホストコンピュータ３０は、識別ヘッダに基づいて、制御部１７や制御部２２９から供給される情報を識別する。
【００７４】
店舗内ホストコンピュータ３０は、制御部１６から発行希望者情報が供給されると、プリペイドカードの発行が可能か否かをサーバコンピュータ３００に問い合わせるべく、供給された発行希望者情報を通信ネットワーク２００を介してサーバコンピュータ３００に供給する。
【００７５】
また、店舗内ホストコンピュータ３０は、制御部１６から残金払戻希望者情報が供給されると、プリペイドカードの残金の払戻が可能か否かをサーバコンピュータ３００に問い合わせるべく、供給された残金払戻希望者情報を通信ネットワーク２００を介してサーバコンピュータ３００に供給する。
【００７６】
さらに、店舗内ホストコンピュータ３０は、制御部２２９から残高増加希望者情報が供給されると、プリペイドカードの残高の増加が可能か否かをサーバコンピュータ３００に問い合わせるべく、供給された残高増加希望者情報を通信ネットワーク２００を介してサーバコンピュータ３００に供給する。
【００７７】
また、店舗内ホストコンピュータ３０には、これらの問合に対する回答が通信ネットワーク２００を介してサーバコンピュータ３００から供給される。
【００７８】
通信ネットワーク２００は、例えば、専用線や公衆回線網などから構成され、遊技店１０（より詳細には、店舗内ホストコンピュータ３０）とサーバコンピュータ３００とを相互に接続する。
【００７９】
サーバコンピュータ３００は、ＣＰＵ、ＲＡＭ、ＲＯＭ等から構成され、通信回線２００を介して複数の遊技店１００と接続されるとともに、ＣＡＦＩＳネットワーク４００を介して複数の金融機関５００と接続されている。サーバコンピュータ３００は、識別ヘッダに基づいて、店舗内ホストコンピュータ３００から供給される情報を識別する。
【００８０】
サーバコンピュータ３００は、店舗内ホストコンピュータ３０から発行希望者情報が供給されると、遊技客の口座４０から発行希望金額相当の金銭を引き落とすことが可能か否かを金融機関５００に問い合わせるべく、供給された発行希望者情報をＣＡＦＩＳネットワーク４００を介して金融機関５００に供給する。
【００８１】
また、サーバコンピュータ３００は、店舗内ホストコンピュータ３０から残金払戻情報が供給されると、プリペイドカード供給会社６０の口座から遊技客の口座４０に金銭を振り替えることが可能か否かを金融機関５００に問い合わせるべく、供給された残金払戻希望者情報をＣＡＦＩＳネットワーク４００を介して金融機関５００に供給する。
【００８２】
さらに、サーバコンピュータ３００は、店舗内ホストコンピュータ３０から残高増加情報が供給されると、遊技客の口座４０から残高増加金額相当の金銭を引き落とすことが可能か否かを金融機関５００に問い合わせるべく、供給された残高増加希望者情報をＣＡＦＩＳネットワーク４００を介して金融機関５００に供給する。
【００８３】
また、サーバコンピュータ３００には、これらの問合に対する回答がＣＡＦＩＳネットワーク４００を介して金融機関５００から通知される。サーバコンピュータ３００は、これら回答に応じた返答を店舗内ホストコンピュータ３０に通知する。
【００８４】
ＣＡＦＩＳネットワーク４００は、多数のカード会社と接続されているカード与信ネットワークであり、銀行系、信販系等ほぼ全てのカード会社と接続されている。ＣＡＦＩＳネットワーク４００は、サーバコンピュータ３００から送信された発行希望者情報等を受信し、受信した発行希望者情報等から銀行名と支店名とを抽出し、送信すべき金融機関５００を特定する。ＣＡＦＩＳネットワーク４００は、この特定した金融機関５００に発行希望者情報等を送信する。
【００８５】
金融機関５００は、銀行、信販等であり、遊技客の口座４０と、別段口座５０と、遊技店１０にプリペイドカードを供給するプリペイドカード供給会社の口座６０と、を備える。金融機関５００は、サーバコンピュータ３００からの問合に対する回答をサーバコンピュータ３００に通知する。金融機関５００は、識別ヘッダに基づいて、サーバコンピュータ３００から供給される情報を識別する。
【００８６】
金融機関５００は、サーバコンピュータ３００から発行希望者情報が供給されると、この供給された発行希望者情報から遊技客の口座４０を特定するとともに、暗証番号の正否を判別する。さらに、金融機関５００は、遊技客の口座４０に購入希望金額を引き落とせるだけの預金残高があるか否かを判別する。
【００８７】
金融機関５００は、暗証番号が正しく、購入希望金額を引き落とせるだけの預金残高がある判別した場合、遊技客の口座４０から別段口座５０へ購入希望金額相当の金銭を移動する。そして、金融機関５００は、所定のタイミング経過後、別段口座５０からプリペイドカード供給会社の口座６０に購入希望金額相当の金銭を振り替える。
【００８８】
また、金融機関５００は、サーバコンピュータ３００から残金払戻希望者情報が供給されると、この供給された残金払戻希望者情報から遊技客の口座４０を特定するとともに、暗証番号の正否を判別する。
【００８９】
金融機関５００は、暗証番号が正しいと判別した場合、プリペイドカード供給会社の口座６０から別段口座５０へプリペイドカードの残高相当の金銭を移動する。そして、金融機関５００は、所定のタイミング経過後、別段口座５０から遊技客の口座４０にプリペイドカードの残高相当の金銭を振り替える。
【００９０】
さらに、金融機関５００は、サーバコンピュータ３００から残高増加希望者情報が供給されると、この供給された残高増加希望者情報から遊技客の口座４０を特定するとともに、暗証番号の正否を判別する。さらに、金融機関５００は、遊技客口座４０に残高増加希望金額を引き落とせるだけの預金残高があるか否かを判別する。
【００９１】
金融機関５００は、暗証番号が正しく、残高増加希望金額を引き落とせるだけの預金残高がある判別した場合、遊技客の口座４０から別段口座５０へ残高増加希望金額相当の金銭を移動する。そして、金融機関５００は、所定のタイミング経過後、別段口座５０からプリペイドカード供給会社の口座６０に残高増加希望金額相当の金銭を振り替える。
【００９２】
上記構成を備えるプリペイドカードシステムの発行動作、使用可否判別動作、残高増加動作及び残金払戻動作について図面を参照して説明する。
【００９３】
（プリペイドカードシステムの発行動作）
プリペイドカードシステムは、遊技客により購入希望金額が金銭指定部１４において指定されると、図７のフローチャート図に示す発行動作を開始する。この発行動作は、遊技客がキャッシュレスでプリペイドカードを購入することを可能にする動作である。遊技客により指定された購入希望金額は、制御部１６に供給される。
【００９４】
発行動作が開始すると、制御部１６は、デビットカードをデビットカード挿入・排出部１１ａに挿入することを表示部１２において遊技客に指示する（ステップ７０１）。デビットカードがデビットカード挿入・排出部１１ａに挿入されると、デビットカード処理部１１ｂは、挿入されたデビットカードに記憶された銀行名、支店名、口座番号、口座名義等の情報を読み取り、読み取った情報を制御部１６に供給する。
【００９５】
次に、制御部１６は、暗証番号の入力を表示部１２において遊技客に指示する（ステップ７０２）。暗証番号が暗証番号入部１３において入力されると、入力された暗証番号は、制御部１６に供給される。
【００９６】
制御部１６は、識別ヘッダと銀行名、支店名、口座番号、口座名義等と暗証番号と購入希望金額とからなる購入希望者情報を通信部１７を介して店舗内ホストコンピュータ３０に供給する。
【００９７】
店舗内ホストコンピュータ３０は、プリペイドカードの発行が可能か否かをサーバコンピュータ３００に問い合わせるべく、供給された購入希望者情報を通信ネットワーク２００を介してサーバコンピュータ３００に供給する（ステップ７０３）。
【００９８】
サーバコンピュータ３００は、遊技客の口座４０から購入希望金額相当の金銭を引き落とすことが可能か否かを金融機関５００に問い合わせるべく、供給された購入希望者情報をＣＡＦＩＳネットワーク４００を介して金融機関５００に供給する（ステップ７０４）。
【００９９】
ＣＡＦＩＳネットワーク４００は、供給された購入希望者情報に含まれる銀行名、支店名から送信すべき金融機関５００を特定し、特定した金融機関５００に購入希望者情報を送信する（ステップ７０５）。
【０１００】
金融機関５００は、送信された購入希望者情報を受信し、受信した購入希望者情報に含まれる口座番号、口座名義等から遊技客の口座４０を特定するとともに、受信した購入希望者情報に含まれる暗証番号の正否を判別する（ステップ７０６）。
【０１０１】
金融機関５００は、暗証番号が間違えていると判別した場合（ステップ７０６にてＮＯ）、遊技客の口座４０から購入希望金額相当の金銭を引き落とすことができない旨の回答をＣＡＦＩＳネットワーク４００を介してサーバコンピュータ３００に通知する（ステップ７０７）。
【０１０２】
サーバコンピュータ３００は、金融機関５００から引落ができない旨の回答が通知されると、プリペイドカードの発行ができない旨の回答を通信ネットワーク２００を介して店舗内ホストコンピュータ３０に通知する（ステップ７０８）。
【０１０３】
店舗内ホストコンピュータ３０は、サーバコンピュータ３００からプリペイドカードの発行ができない旨の回答が通知されると、制御部１６にプリペイドカードの発行の中止を指示する（ステップ７０９）。
【０１０４】
店舗内ホストコンピュータ３０の指示に応じ、制御部１６は、プリペイドカードの発行を中止する（ステップ７１０）。制御部１６は、その旨を表示部１２に表示するとともに、デビットカード挿入・排出部１１ａからデビットカードを排出させ、遊技客にデビットカードを返却する。
【０１０５】
一方、金融機関５００は、暗証番号が正しいと判別した場合（ステップ７０６にてＹＥＳ）、遊技客の口座４０に購入希望金額を引き落とせるだけの預金残高があるか否かを判別する（ステップ７１１）。
【０１０６】
金融機関５００は、遊技客の口座４０に購入希望金額を引き落とせるだけの預金残高がないと判別した場合（ステップ７１１にてＮＯ）、遊技客の口座４０から購入希望金額相当の金銭を引き落とすことができない旨の回答をＣＡＦＩＳネットワーク４００を介してサーバコンピュータ３００に通知する（ステップ７０７）。
【０１０７】
サーバコンピュータ３００は、金融機関５００から引落ができない旨の回答が通知されると、プリペイドカードの発行ができない旨の回答を通信ネットワーク２００を介して店舗内ホストコンピュータ３０に通知する（ステップ７０８）。
【０１０８】
店舗内ホストコンピュータ３０は、サーバコンピュータ３００からプリペイドカードの発行ができない旨の回答が通知されると、制御部１６にプリペイドカードの発行の中止を指示する（ステップ７０９）。
【０１０９】
店舗内ホストコンピュータ３０の指示に応じ、制御部１６は、プリペイドカードの発行を中止する（ステップ７１０）。制御部１６は、その旨を表示部１２に表示するとともに、デビットカード挿入・排出部１１ａからデビットカードを排出させ、遊技客にデビットカードを返却する。
【０１１０】
金融機関５００は、遊技客の口座４０に購入希望金額を引き落とせるだけの預金残高があると判別した場合（ステップ７１１にてにてＹＥＳ）、遊技客の口座４０から別段口座５０へ購入希望金額相当の金銭を移動する（ステップ７１２）。
【０１１１】
そして、金融機関５００は、所定のタイミング経過後、別段口座５０からプリペイドカード供給会社の口座６０に購入希望金額相当の金銭を振り替える（ステップ７１３）。
【０１１２】
また、金融機関５００は、遊技客の口座４０から購入希望金額相当の金銭を引き落とすことができる旨の回答をＣＡＦＩＳネットワーク４００を介してサーバコンピュータ３００に通知する（ステップ７１４）。
【０１１３】
サーバコンピュータ３００は、金融機関５００から引落ができる旨の回答が通知されると、プリペイドカードの発行が可能である旨の回答を通信ネットワーク２００を介して店舗内ホストコンピュータ３０に通知する（ステップ７１５）。
【０１１４】
店舗内ホストコンピュータ３０は、サーバコンピュータ３００からプリペイドカードの発行が可能である旨の回答が通知されると、制御部１６にプリペイドカードの発行を指示する（ステップ７１６）。
【０１１５】
店舗内ホストコンピュータ３０からの指示に応じ、制御部１６は、プリペイドカード挿入・排出部１５ａから購入希望金額相当のプリペイドカードを発行する（ステップ７１７）。また、制御部１６は、デビットカード挿入・排出部１１ａからデビットカードを排出し、遊技客にデビットカードを返却する。
【０１１６】
上記発行動作により、遊技客は、デビットカードを用いてキャッシュレスでプリペイドカードを購入することができる。
【０１１７】
このため、遊技客は、現金の持合がなくてもデビットカードがあれば、遊技機において遊技をプレイすることができる。また、遊技店１０は、店内の現金を少なくすることができるため、売上の管理を容易にすることができ、さらに盗難による被害を小さくできる等セキュリティの向上が図れる。
【０１１８】
（プリペイドカードシステムの使用可否判別動作）
プリペイドカードシステムは、プリペイドカードがプリペイドカード挿入・排出部２２１ａに挿入されると、図８のフローチャート図に示す使用可否判別動作を開始する。この使用可否判別動作は、挿入されたプリペイドカードが偽造・変造されたものか等、プリペイドカードの使用可否を判別する動作である。プリペイドカード処理部２２１ｂは、挿入されたプリペイドカードに記憶されたプリペイドカード情報を読み取り、読み取ったプリペイドカード情報を制御部２２９に供給する。
【０１１９】
制御部２２９は、挿入されたプリペイドカードが使用可能か否かを店舗内ホストコンピュータ３０に問い合わせるべく、供給されたプリペイドカード情報を通信部２３０を介して店舗内ホストコンピュータ３０に供給する（ステップ８０１）。
【０１２０】
制御部２２９からプリペイドカード情報が供給されると、店舗内ホストコンピュータ３０は、供給されたプリペイドカード情報に基づいて、プリペイドカードが変造・偽造されたものであるか否か等、プリペイドカードの使用の可否を判別する（ステップ８０２）。
【０１２１】
挿入されたプリペイドカードが変造・偽造されたもの等、使用不能であると判別した場合（ステップ８０２にてＮＯ）、店舗内ホストコンピュータ３０は、その旨を制御部２２９に通知する（ステップ８０３）。
【０１２２】
挿入されたプリペイドカードが使用不能である旨が通知されると、制御部２２９は、その旨を表示部２２２に表示するとともに、プリペイドカード挿入・排出部２２１ａからプリペイドカードを排出し、遊技客にプリペイドカードを返却する（ステップ８０４）。
【０１２３】
一方、挿入されたプリペイドカードが使用可能であると判別した場合（ステップ８０２にてＹＥＳ）、店舗内ホストコンピュータ３０は、その旨を制御部２２９に通知する（ステップ８０５）。
【０１２４】
挿入されたプリペイドカードが使用可能である旨が通知されると、制御部２２９は、プリペイドカードの残高等を表示部２２２に表示する（ステップ８０６）。
【０１２５】
上記使用可否判別動作により、プリペイドカードシステムは、挿入されたプリペイドカードの使用可否を判別することができ、遊技客による変造・偽造プリペイドカードの使用等を未然に防ぐことができる。
【０１２６】
（プリペイドカードシステムの残高増加動作）
プリペイドカードシステムは、上記使用可否判別動作により、プリペイドカード挿入・排出部２２１ａに挿入されたプリペイドカードが使用可能と判別された場合、プリペイドカードの残高の増加が残高増加指示部２２６において遊技客により指示されると、図９のフローチャート図に示す残高増加動作を開始する。この残高増加動作は、遊技客がキャッシュレスでプリペイドカードの残高を増加することを可能にする動作である。
【０１２７】
残高増加動作が開始すると、制御部２２９は、デビットカート挿入・排出部２２４ａにデビットカードを挿入することを表示部２２２において遊技客に指示する（ステップ９０１）。デビットカードがデビットカード挿入・排出部２２４ａに挿入されると、デビットカード処理部２２４ｂは、挿入されたデビットカードに記憶された銀行名、支店名、口座番号、口座名義等の情報を読み取り、読み取った情報を制御部２２９に供給する。
【０１２８】
次に制御部２２９は、暗証番号の入力を表示部２２２において遊技客に指示する（ステップ９０２）。暗証番号が暗証番号入部１３において入力されると、入力された暗証番号は、制御部２２９に供給される。
【０１２９】
続いて、制御部２２９は、残高増加希望金額を指定することを遊技客に表示部２２２において指示する（ステップ９０３）。残高増加希望金額が残高金額指定部２２７において指定されると、指定された残高増加希望金額は、制御部２２９に供給される。
【０１３０】
制御部２２９は、識別ヘッダと銀行名、支店名、口座番号、口座名義等と暗証番号と残高希望金額とからなる残高増加希望者情報を通信部２３０を介して店舗内ホストコンピュータ３０に供給する。
【０１３１】
店舗内ホストコンピュータ３０は、プリペイドカードの残高の増加が可能か否かをサーバコンピュータ３００に問い合わせるべく、供給された残高増加希望者情報を通信ネットワーク２００を介してサーバコンピュータ３００に供給する（ステップ９０４）。
【０１３２】
サーバコンピュータ３００は、遊技客の口座４０から残高増加希望金額相当の金銭を引き落とすことが可能か否かを金融機関５００に問い合わせるべく、供給された残高増加希望者情報をＣＡＦＩＳネットワーク４００を介して金融機関５００に供給する（ステップ９０５）。
【０１３３】
ＣＡＦＩＳネットワーク４００は、供給された残高増加希望者情報に含まれる銀行名、支店名から送信すべき金融機関５００を特定し、特定した金融機関５００に残高増加希望者情報を送信する（ステップ９０６）。
【０１３４】
金融機関５００は、送信された残高増加希望者情報を受信し、受信した残高増加希望者情報に含まれる口座番号、口座名義等から遊技客の口座４０を特定するとともに、受信した残高増加希望者情報に含まれる暗証番号の正否を判別する（ステップ９０７）。
【０１３５】
金融機関５００は、暗証番号が間違えていると判別した場合（ステップ９０７にてＮＯ）、遊技客の口座４０から残高増加希望者情報相当の金銭を引き落とすことができない旨の回答をＣＡＦＩＳネットワーク４００を介してサーバコンピュータ３００に通知する（ステップ９０８）。
【０１３６】
サーバコンピュータ３００は、金融機関５００から引落ができない旨の回答が通知されると、プリペイドカードの発行ができない旨の回答を通信ネットワーク２００を介して店舗内ホストコンピュータ３０に通知する（ステップ９０９）。
【０１３７】
店舗内ホストコンピュータ３０は、サーバコンピュータ３００からプリペイドカードの残高の増加ができない旨の回答が通知されると、制御部２２９にプリペイドカードの残高の増加の中止を指示する（ステップ９１０）。
【０１３８】
店舗内ホストコンピュータ３０の指示に応じ、制御部２２９は、プリペイドカードの残高の増加を中止する（ステップ９１１）。制御部２２９は、プリペイドカードの残高の増加ができない旨を表示部２２２に表示するとともに、デビットカード挿入・排出部２２４ａからデビットカードを排出し、遊技客にデビットカードを返却する。
【０１３９】
一方、金融機関５００は、暗証番号が正しいと判別した場合（ステップ９０７にてＹＥＳ）、遊技客の口座４０に残高増加希望金額を引き落とせるだけの預金残高があるか否かを判別する（ステップ９１２）。
【０１４０】
金融機関５００は、遊技客の口座４０に残高増加希望金額を引き落とせるだけの預金残高がないと判別した場合（ステップ９１２にてＮＯ）、遊技客の口座４０から残高増加希望金額相当の金銭を引き落とすことができない旨の回答をＣＡＦＩＳネットワーク４００を介してサーバコンピュータ３００に通知する（ステップ９０８）。
【０１４１】
サーバコンピュータ３００は、金融機関５００から引落ができない旨の回答が通知されると、プリペイドカードの残高の増加ができない旨の回答を通信ネットワーク２００を介して店舗内ホストコンピュータ３０に通知する（ステップ９０９）。
【０１４２】
店舗内ホストコンピュータ３０は、サーバコンピュータ３００からプリペイドカードの残高の増加ができない旨の回答が供給されると、制御部２２９にプリペイドカードの残高の増加の中止を指示する（ステップ９１０）。
【０１４３】
店舗内ホストコンピュータ３０の指示に応じ、制御部２２９は、プリペイドカードの残高の増加を中止する（ステップ９１１）。制御部２２９は、プリペイドカードの残高の増加ができない旨を表示部２２２に表示するとともに、デビットカード挿入・排出部２２４ａからデビットカードを排出し、遊技客にデビットカードを返却する。
【０１４４】
金融機関５００は、遊技客の口座４０に残高増加希望金額を引き落とせるだけの預金残高があると判別した場合（ステップ９１２にてＹＥＳ）、遊技客の口座４０から別段口座５０へ残高増加希望金額相当の金銭を移動する（ステップ９１３）。
【０１４５】
そして、金融機関５００は、所定のタイミング経過後、別段口座５０からプリペイドカード供給会社の口座６０に残高増加希望金額相当の金銭を振り替える（ステップ９１４）。
【０１４６】
また、金融機関５００は、遊技客の口座４０から残高増加希望金額相当の金銭を引き落とすことができる旨の回答をＣＡＦＩＳネットワーク４００を介してサーバコンピュータ３００に通知する（ステップ９１５）。
【０１４７】
サーバコンピュータ３００は、金融機関５００から引落ができる旨の回答が通知されると、プリペイドカードの残高の増加が可能である旨の回答を通信ネットワーク２００を介して店舗内ホストコンピュータ３０に通知する（ステップ９１６）。
【０１４８】
店舗内ホストコンピュータ３０は、サーバコンピュータ３００からプリペイドカードの残高の増加が可能である旨の回答が供給されると、制御部２２９にプリペイドカードの残高の増加を指示する（ステップ９１７）。
【０１４９】
店舗内ホストコンピュータ３０からの指示に応じ、制御部２２９は、プリペイドカード処理部２２１ｂにおいてプリペイドカードを書き換え、プリペイドカードの残高を残高増加希望金額相当分だけ増加する（ステップ９１８）。また、制御部２２９は、デビットカード挿入・排出部２２４ａからデビットカードを排出し、遊技客にデビットカードを返却する。
【０１５０】
上記残高増加動作により、遊技客は、デビットカードを用いてキャッシュレスでプリペイドカードの残高を増加することができる。
【０１５１】
このため、遊技客は、現金の持合がなくてもデビットカードがあれば、遊技機において遊技をプレイすることができる。また、遊技店１０は、店内の現金を少なくすることができるため、売上の管理を容易にすることができ、さらに盗難による被害を小さくできる等セキュリティの向上が図れる。さらに、遊技店１０は、プリペイドカードの発行枚数が少なくすることができるため、廃棄物となる使用済みプリペイドカードの枚数を減らすことができる。
【０１５２】
また、上記残高増加動作は、遊技媒体貸出機２２において実行することが可能であるため、遊技客は、遊技機２１から離れることなくプリペイドカードの残高を増加させ、遊技媒体を借り入れることができる。
【０１５３】
（プリペイドカードシステムの残金払戻動作）
プリペイドカードシステムは、プリペイドカードがプリペイドカード挿入・排出部１５ａに挿入されると、図１０のフローチャート図に示す残金払戻動作を開始する。この残金払戻動作は、プリペイドカードの残金に相当する額をプリペイドカード供給会社６０の口座から遊技客の口座４０に振り替えることにより遊技客にプリペイドカードの残金を払い戻す動作である。プリペイドカード処理部１５ｂは、挿入されたプリペイドカードに記憶されたプリペイドカード情報を読み取り、読み取ったプリペイドカード情報を制御部１６に供給する。
【０１５４】
残金払戻動作が開始すると、制御部１６は、挿入されたプリペイドカードが使用可能か否かを店舗内ホストコンピュータ３０に問い合わせるべく、供給されたプリペイドカード情報を通信部２３０を介して店舗内ホストコンピュータ３０に供給する（ステップ１００１）。
【０１５５】
制御部１６からプリペイドカード情報が供給されると、店舗内ホストコンピュータ３０は、供給されたプリペイドカード情報に基づいて、プリペイドカードが変造・偽造されたものであるか否か、プリペイドカードに残高があるか否か等、プリペイドカードの使用の可否を判別する（ステップ１００２）。
【０１５６】
挿入されたプリペイドカードが変造・偽造されたものである等、使用不能であると判別した場合（ステップ１００２にてＮＯ）、店舗内ホストコンピュータ３０は、その旨を制御部１６に通知する（ステップ１００３）。
【０１５７】
挿入されたプリペイドカードが使用不能である旨が通知されると、制御部１６は、プリペイドカードの残金の払戻を中止する（ステップ１００４）。制御部１６は、プリペイドカードが使用不能である旨を表示部１２に表示するとともに、プリペイドカード挿入・排出部１５ａからプリペイドカードを排出し、遊技客にプリペイドカードを返却する。
【０１５８】
一方、挿入されたプリペイドカードが使用可能であると判別した場合（ステップ１００２にてＹＥＳ）、店舗内ホストコンピュータ３０は、その旨を制御部１６に通知する（ステップ１００５）。
【０１５９】
挿入されたプリペイドカードが使用可能である旨が通知されると、制御部１６は、表示部１２において、遊技客にプリペイドカードの残高を通知するとともに、デビットカードの挿入を指示する（ステップ１００６）。デビットカードがデビットカード挿入・排出部１１ａに挿入されると、デビットカード処理部１１ｂは、デビットカードに記憶された銀行名、支店名、口座番号、口座名義等の情報を読み取り、読み取った情報を制御部１６に供給する。
【０１６０】
次に、制御部１６は、暗証番号の入力を表示部１２において遊技客に指示する（ステップ１００７）。暗証番号が暗証番号入部１３において入力されると、入力された暗証番号は、制御部１６に供給される。
【０１６１】
制御部１６は、識別ヘッダと銀行名、支店名、口座番号、口座名義等と暗証番号とプリペイドカードの残高とからなる残金払戻希望者情報を通信部１７を介して店舗内ホストコンピュータ３０に供給する。
【０１６２】
店舗内ホストコンピュータ３０は、供給された残金払戻希望者情報を通信ネットワーク２００を介してサーバコンピュータ３００に供給するとともに、プリペイドカードの残金の払戻が可能か否かをサーバコンピュータ３００に問い合わせる（ステップ１００８）。
【０１６３】
サーバコンピュータ３００は、プリペイドカード供給会社６０の口座から遊技客の口座４０に金銭を振り替えることが可能か否かを金融機関５００に問い合わせるべく、供給された残金払戻希望者情報をＣＡＦＩＳネットワーク４００を介して金融機関５００に供給する（ステップ１００９）。
【０１６４】
ＣＡＦＩＳネットワーク４００は、供給された残金払戻希望者情報に含まれる銀行名、支店名から送信すべき金融機関５００を特定し、特定した金融機関５００に残金払戻希望者情報を送信する（ステップ１０１０）。
【０１６５】
金融機関５００は、送信された残金払戻希望者情報を受信し、受信した残金払戻希望者情報に含まれる口座番号、口座名義等から遊技客の口座４０を特定するとともに、受信した残金払戻希望者情報に含まれる暗証番号の正否を判別する（ステップ１０１１）。
【０１６６】
金融機関５００は、暗証番号が間違えていると判別した場合（ステップ１０１１にてＮＯ）、プリペイドカード供給会社６０の口座から遊技客の口座４０に金銭を振り替えることができない旨の回答をＣＡＦＩＳネットワーク４００を介してサーバコンピュータ３００に通知する（ステップ１０１２）。
【０１６７】
サーバコンピュータ３００は、金融機関５００から振替ができない旨の回答が通知されると、プリペイドカードの残金の払戻ができない旨の回答を通信ネットワーク２００を介して店舗内ホストコンピュータ３０に通知する（ステップ１０１３）。
【０１６８】
店舗内ホストコンピュータ３０は、サーバコンピュータ３００からプリペイドカードの残金の払戻ができない旨の回答が通知されると、制御部１６にプリペイドカードの残金の払戻の中止を指示する（ステップ１０１４）。
【０１６９】
店舗内ホストコンピュータ３０の指示に応じ、制御部１６は、プリペイドカードの残金の払戻を中止する（ステップ１０１５）。制御部１６は、プリペイドカードの残金の払戻ができない旨を表示部１２に表示するとともに、デビットカード挿入・排出部１１ａからデビットカードを排出し、遊技客にデビットカードを返却する。
【０１７０】
一方、金融機関５００は、暗証番号が正しいと判別した場合（ステップ１０１１にてＹＥＳ）、プリペイド供給会社の口座６０から別段口座５０へプリペイドカードの残高相当の金銭を移動する（ステップ１０１６）。
【０１７１】
そして、金融機関５００は、所定のタイミング経過後、別段口座５０から遊技客の口座４０にプリペイドカードの残高相当の金銭を振り替える（ステップ１０１７）。
【０１７２】
また、金融機関５００は、プリペイドカード供給会社６０の口座から遊技客の口座４０に金銭を振り替えることができる旨の回答をＣＡＦＩＳネットワーク４００を介してサーバコンピュータ３００に通知する（ステップ１０１８）。
【０１７３】
サーバコンピュータ３００は、金融機関５００から振替ができる旨の回答が通知されると、プリペイドカードの残金の払戻が可能である旨の回答を通信ネットワーク２００を介して店舗内ホストコンピュータ３０に通知する（ステップ１０１９）。
【０１７４】
店舗内ホストコンピュータ３０は、サーバコンピュータ３００からプリペイドカードの残金の払戻が可能である旨の回答が通知されると、制御部１６にプリペイドカードの残金の払戻を指示する（ステップ１０２０）。
【０１７５】
店舗内ホストコンピュータ３０からの指示に応じ、制御部１６は、プリペイドカード処理部１５ｂにおいてプリペイドカードを書き換え、残高を０にする（ステップ１０２１）。また、制御部１６は、プリペイドカード挿入・排出部１５ａとデビットカード挿入・排出部１１ａとから、夫々プリペイドカードとデビットカードとを排出し、遊技客にプリペイドカードとデビットカードとを返却する。
【０１７６】
上記残金払戻動作により、遊技客は、プリペイドカードの残金に相当する額をプリペイドカード供給会社６０の口座から遊技客の口座４０に振り替えることにより残金を払い戻すことができる。
【０１７７】
このため、遊技店１００は、プリペイドカードの払戻のために用意する現金が不要となるため、売上の管理を容易にすることができ、さらに盗難による被害を小さくできる等セキュリティの向上が図れる。
【０１７８】
また、上記残金払戻動作において、プリペイドカードシステムは、プリペイドカードの残金の払戻をサーバコンピュータ３００に問合わせる前に、挿入されたプリペイドカードの使用可否を判別している。これにより、プリペイドカードシステムは、変造・偽造プリペイドカードの残金の払戻を未然に防ぐことができる。
【０１７９】
さらに、プリペイドカードシステムは、残高が０のプリペイドカードが挿入された場合、使用不能と判別し、プリペイドカードの残金の払戻をサーバコンピュータ３００に問合わせる前に動作を終了させるため、無駄な動作を省略することができる。
【０１８０】
なお、本発明は、上記の実施の形態に限られず、種々の変形、応用が可能である。以下、本発明に適用可能な上記の実施の形態の変形態様について説明する。
【０１８１】
上記実施の形態において、施設は、遊技店１００とした。しかし、本発明はこれに限定されず、施設は、プリペイドカードで練習用のゴルフボールを貸し出すゴルフ練習場、プリペイドカード式複写機を設置する施設等プリペイドカードを発行する施設であればいかなる店舗であってもよい。
【０１８２】
また、上記実施の形態において、プリペイドカードを発行する装置とプリペイドカードの残金を払い戻す装置とは、一体であった。しかし、本発明はこれに限定されず、プリペイドカードを発行する装置とプリペイドカードの残金を払い戻す装置とは、別体であってもよい。
【０１８３】
さらに、上記実施の形態において、口座情報特定カードは、デビットカードとした。しかし、本発明はこれに限定されず、口座情報特定カードは、例えば、キャッシュカード等、利用者の口座を特定する情報が格納されているカードであればいかなるカードであってもよい。
【０１８４】
また、上記実施の形態において、デビットカードに記憶された銀行名、支店名、口座番号、口座名義によって利用者の口座を特定していた。しかし、本発明は、これに限定されず、利用者の口座を特定する情報は任意である。
【０１８５】
さらに、上記実施の形態において、プリペイドカードは、遊技媒体貸出機２２においてその残高の増加がされていた。しかし、本発明はこれに限定されず、例えば、プリペイドカード発行・払戻機を図１１に示す構成にすることにより、プリペイドカードの残高の増加をプリペイドカード発行・払戻機において行ってもよい。ここで、図１１に示す残金払戻指示部１８は、例えば、タッチパネル、押しボタン等から構成されおり、遊技客がプリペイドカードの残金の払戻を指示するのに用いられる。遊技客は、プリペイドカード挿入・排出部１５ａにプリペイドカードを挿入し、残高増加指示部２２７においてプリペイドカードの残高の増加を、残金払戻指示部１８においてプリペイドカードの残金の払戻を、択一的に指示できる。
【０１８６】
また、上記実施の形態において、プリペイドカードは、プリペイドカード発行・払戻機１０において発行及びその残金の払戻がされていた。しかし、本発明はこれに限定されず、例えば、遊技媒体貸出機をを図１２に示す構成にすることにより、プリペイドカードの発行及び残金の払戻を遊技媒体貸出機において行ってもよい。ここで、図１２に示す残金払戻指示部２３１は、例えば、タッチパネル、押しボタン等から構成されおり、遊技客がプリペイドカードの残金の払戻を指示するのに用いられる。遊技客は、プリペイドカード挿入・排出部２２１ａにプリペイドカードを挿入し、残高増加指示部２２７においてプリペイドカードの残高の増加を、残金払戻指示部２３１においてプリペイドカードの残金の払戻を、択一的に指示できる。
【０１８７】
さらに、上記実施の形態において、同一の金融機関５００が遊技客の口座４０とプリペイドカード供給会社の口座６０とを備えていた。しかし、本発明は、これに限定されず、遊技客が口座を有する金融機関とプリペイドカード供給会社が口座を有する金融機関とは、別の金融機関であってもよい。
【０１８８】
また、上記実施の形態の残高増加動作において、遊技客は、残高増加指示部２２６においてプリペイドカードの残高の増加を指示した後、デビットカード挿入・排出部２２４ａにデビットカードを挿入していた。しかし、本発明は、これに限定されず、遊技客は、デビットカード挿入・排出部２２４ａにデビットカードを挿入した後、残高増加指示部２２６においてプリペイドカードの残高の増加を指示してもよい。
【０１８９】
【発明の効果】
本発明により、遊技客が遊技機から離れることなく、プリペイドカードの残高を増加させ、遊技媒体を借り入れることができるプリペイドカードシステム、遊技媒体貸出機及びプリペイドカード残高増加方法を提供することができる。
【０１９０】
また、本発明により、デビットカードによるプリペイドカードの払戻を可能とするプリペイドカードシステム、遊技媒体貸出機及びプリペイドカード残金払戻方法を提供することができる。
【図面の簡単な説明】
【図１】本発明の実施の形態であるプリペードカードシステムの構成を示すブロック図である。
【図２】本実施の形態のプリペイドカード発行・払戻機の外観の正面図である。
【図３】本実施の形態のプリペイドカード発行・払戻機の構成を示すブロック図である。
【図４】店舗内ホストコンピュータからサーバコンピュータに供給される購入希望者情報と残高増加希望者情報と残金払戻希望者情報とを説明するための図である。
【図５】本実施の形態の遊技媒体貸出機の外観の正面図である。
【図６】本実施の形態の遊技媒体貸出機の構成を示すブロック図である。
【図７】プリペイドカードシステムの発行動作を示すフローチャート図である。
【図８】プリペイドカードシステムの使用可否判別動作を示すフローチャート図である。
【図９】プリペイドカードシステムの残高増加動作を示すフローチャート図である。
【図１０】プリペイドカードシステムの残金払戻動作を示すフローチャート図である。
【図１１】本実施の形態のプリペイドカード発行・払戻機の変形例の構成を示すブロック図である。
【図１２】本実施の形態の遊技媒体貸出機の変形例の構成を示すブロック図である。
【符号の説明】
１００    遊技店
１０    プリペイドカード発行・払戻機
１１ａ    デビットカード挿入・排出部
１１ｂ    デビットカード処理部
１３    暗証番号入力部
１４    金額指定部
１５ａ    プリペイドカード挿入・排出部
１５ｂ    プリペイドカード処理部
１６    制御部
１７    通信部
２０    遊技ユニット
２２    遊技媒体貸出機
２２１ａ  プリペイドカード挿入・排出部
２２１ｂ  プリペイドカード処理部
２２４ａ  デビットカード挿入・排出部
２２４ｂ  デビットカード処理部
２２５  暗証番号入力部
２２６  残高増加指示部
２２７  増加金額指定部
２２９  制御部
２３０  通信部
３０    店舗内ホストコンピュータ
４０    遊技客の口座
５０    別段口座
６０    プリペイドカード供給会社の口座
２００    通信ネットワーク
３００    サーバコンピュータ
４００    ＣＡＦＩＳネットワーク
５００    金融機関
【図１】
2004259072.tif 000003
【図２】
2004259072.tif 000004
【図３】
2004259072.tif 000005
【図４】
2004259072.tif 000006
【図５】
2004259072.tif 000007
【図６】
2004259072.tif 000008
【図７】
2004259072.tif 000009
【図８】
2004259072.tif 000010
【図９】
2004259072.tif 000011
【図１０】
2004259072.tif 000012
【図１１】
2004259072.tif 000013
【図１２】
2004259072.tif 000014